(57)【要約】【課題】ローラー塗装時に塗料ミストの飛散防止を図るため、ローラーの周りにフードを設けた場合、ローラーを塗料溶液に浸漬する際にはカバーに塗料が付着しない構造であり、かつ構造がシンプルで軽量、作業性も良好な塗装具を提供することが課題である。【解決手段】ローラーの外周部にフード５を設け、復元性のある弾性素材でフード５と連結し、フード支持軸の支点８に軸着して傾動自在とし、前記フード５とワイヤーで連結した操作レバー１０を操作することによりフード５が応動可能になる。ローラーを塗料液に浸漬する際には、同様の操作によりフードの引上げが可能であり、レバー保持ボルト１３で保持すること、またフード位置の調整はストパー１２で調整・固定が可能である。【選択図】図１
2019069412.tif 000002
【特許請求の範囲】
【請求項１】
グリップとアームとローラーを有し、ローラーの周囲には塗装時にローラーの非塗装空間を覆うフードを設け、当該フードを支承するフード支持軸を前記アームに横設し、復元性のある弾性部材を用いて前記フードと連結し、当該フード支持軸の支点に傾動自在に軸支して、フード操作レバーをグリップに近接したアームに設け、前記フードとワイヤーで連結し、当該操作レバーを操作することにより前記フードが前記アーム支持軸の支点を軸に応動可能であることを特徴とする可動式フードを有するローラー塗装具。
【請求項２】
請求項1に記載するフードはフード骨子に添設した軽量な合成樹脂製で交換が可能であり、当該フードの取り付け角度はフード骨子とフードガイドをフード支持具で緩嵌しており調整・変更が可能で、塗装時における塗装面とフードの端面との離れについては、前記フード操作レバーのストッパーが前記アームに軸支しており、当該ストッパーを回転・締着することにより調整が可能であり、前記の操作レバーでフードを引上げ固定する際には、前記アームに軸支したレバー保持ボルトでフード位置の固定が可能であることを特徴とする可動式フードを有するローラー塗装具。
【発明の詳細な説明】
【技術分野】
【０００１】
本発明は，ローラーで塗装する際に,塗料の飛散防止を図るための可動式フードを有するローラー塗装具に関するものである。
【背景技術】
【０００２】
ローラーで塗装する際は、塗料を含浸させたローラーを塗装面に押圧・回転させ塗布するため、遠心力で塗料がミスト状になり飛散し、塗装者の衣服、身体、顔面への付着、呼吸の際のミストの吸込み等により、衛生・健康面で劣悪な環境にあった。
また、塗料ミストの飛散防止のため、塗装面の周辺をシート、ネット等で養生する必要があり、これらの養生をするためには、足場を構設しネットを張設する等の大掛かりな対策が不可欠であり、多大な費用を余儀なくされていた。
【０００３】
特許文献１に開示されたローラー刷毛塗装の飛散防止補助装置は、ローラーの周辺にプレートが２枚設置されているが、プレートの長さが短小であり、ローラーの塗装面に対し非塗装空間を覆蓋するためには、当該プレートでは間隙が広く、塗料ミストの飛散防止には効果が低い。前記文献1の実施例1には、長いプレートを設置できない理由として、ローラーを容器内で塗料溶液に浸漬する際に支障になること、及び塗装作業時に支障が生じるためであると記されている。
【０００４】
特許文献２に開示されたカバー付ダブルローラー塗装機は、２個のローラーを台形状のカバーで覆蓋した方式であるが、カバーが固定式であり、ローラーを容器内で塗料溶液に浸漬する際にはカバーにも塗料が付着し、付着した塗料を滴下・除去する必要があり、作業効率が低下する等の問題があった。
【先行技術文献】
【特許文献】
【０００５】
【特許文献１】特開２００９−６３０９号公報
【特許文献２】特開２００６−１５３１８号公報
【発明の概要】
【発明が解決しようとする課題】
【０００６】
本発明の課題は、ローラー塗装時に塗料ミストの飛散防止を図るためローラーの周りにフードを設けた場合、当該フードによる塗料ミストの捕捉効果が良好で、ローラーを塗料溶液に浸漬し塗料を含浸する際にはカバーに塗料が付着しない構造であり、軽量で作業性も良好な塗装具を提供することが課題である。
【課題を解決するための手段】
【０００７】
本発明に係る可動式フードを有するローラー塗装具は、グリップとアームとローラーを有し、ローラーの周囲には塗装時にローラーの非塗装空間を覆うフードを設け、当該フードを支承するフード支持軸を前記アームに横設し、復元性のある弾性部材を用いて前記フードと連結し、当該フード支持軸の支点に傾動自在に軸支して、フード操作レバーをグリップに近接したアームに設け、前記フードとワイヤーで連結し、当該操作レバーを操作することにより前記フードが前記アーム支持軸の支点を軸に応動可能であることを特徴とする。
【０００８】
前記フードはフード骨子に添設した軽量な合成樹脂製で交換が可能であり、当該フードの取り付け角度はフード骨子とフードガイドをフード支持具で緩嵌しており調整・変更が可能で、塗装時における塗装面とフードの端面との離れについては,前記フード操作レバーのストッパーが前記アームに軸支しており、当該ストッパーを回転・締着することにより調整が可能であり、前記の操作レバーでフードを引上げ固定する際には、前記アームに軸支したレバー保持ボルトでフード位置の固定が可能であることを特徴とする可動式フードを有するローラー塗装具。
【発明の効果】
【０００９】
従来のローラー塗装具は、塗料ミストが飛散し、塗装者の衣服・身体への付着、健康面への悪影響等、劣悪な環境であったが、本発明の可動式フードを有するローラー塗装具は、前記フードで塗料ミストを効率的に捕捉するため飛散防止効果が大きく、作業環境を大幅に改善することが可能である。
【００１０】
従来のローラー塗装時には、塗料の飛散を防止するため、足場の構設、ネットの張設等の大掛かりな養生対策が不可欠で多大な費用を余儀なくされていたが、本発明の可動式フードを有するローラー塗装具は、小規模の塗装工事等の場合は床面のみの養生で脚立・梯子等での塗装が可能であり、足場、ネット等の構設が不要となることから、養生・対策費の大幅な節減が可能で省力化・省資源化の観点からも大きな効果がある。
【００１１】
本発明の可動式フードを有するローラー塗装具は、フード操作レバーをグリップに近接したアームに取設しており、ローラーを塗料液に浸漬する際のフードの引上げ等は片手で操作が可能で機能的であり、操作性・作業効率も良好である。フード端面と塗装面の離れもストッパーの位置・調整により容易に変更が可能である。
【図面の簡単な説明】
【００１２】
【図１】図１は本発明に係る可動フード付ローラー塗装具の斜視図である。
【図２】図２は本発明に係る可動フード付ローラー塗装具の正面図である。
【図３】図３は本発明に係る可動フード付ローラー塗装具の操作レバー部の説明図である。
【発明を実施するための形態】
【００１３】
塗装用ローラーの周りに可動式フードを設け、ローラーを塗料液に浸漬する際には、当該フードに塗料の付着を防止するため可動式とし、軽量で作業性・効率等が良好な塗装具を実現した。
【実施例１】
【００１４】
本発明に係る可動式フードを有するローラー塗装具について図面に基づき詳述する。図１、図２は可動式フードを有するローラー塗装具の斜視図、及び正面図、図３は図１の操作レバー部の説明図である。
本可動式フードを有するローラー塗装具は、グリップ１とアーム２とローラー３とを有し、ローラー周りには、ローラー塗装時に非塗装空間を覆うフード５を取設し、前記フードを支承するフード支持軸４を前記アーム２に横接するが、これはアーム製作時に溶着するか、又は市販の塗装具にボルト等で締着することも可能である。
前記フード５とフード支持軸４を復元性のある弾性部材であるフード支持バー６及びばね9を用いて連結し、フード支持軸４の支点８に傾動自在に軸支する。復元性のある弾性部材には、鋼線、ピアノ線、ばね等がある。
フードの操作レバー１０をグリップ1に近接したアーム２に取設し、前記フード５とワイヤー１１で連結して、当該操作レバー１０を指で操作することで前記フード５が応動可能であり、操作レバーを戻した場合はフード５がフード支持バー６及びばね９の弾性力で付勢されストパーの位置に帰着する。
【００１５】
塗装時における塗装面とフードの端面との離れについては、操作レバー１０のストッパー１２が前記アーム２に軸支しており、当該ストッパー１２を回転して操作レバー１０ｂとの位置調整を行いネジで締着して固定する。前記フードの取り付け角度はフード骨子とフードガイド７をフード支持具１４で緩嵌しており調整・変更が可能である。
フードの材質については、軽量な合成樹脂製であり、耐薬品性、機械的強度に優れるポリエチレンテレフタレート（ＰＥＴ）、ポリプロピレン（ＰＰ）等が適している。
ローラーを塗料容器内の塗料に浸漬する際には、当該操作レバー１０を指で引きフードを引上げることにより、フードへの塗料の付着防止が可能であり、ローラーを長時間塗料液に浸漬する際には、レバー保持ボルト１３を回転させ操作レバー１０ｂとの掛着が可能である。当該レバー保持ボルト１３は、ストッパー１２と同様にアーム２に軸支しており、ネジ操作で自在に挟着・固定が可能である。
図２のフード６の断面形状については、端部が半円形より外側に開いた形状の方が塗料ミストの捕集効率が高い。
【実施例２】
【００１６】
可動フード付ローラー塗装具について、フードの構造をフード中心部に支点を有する構造とし、フードを回転自在にする方法も考案・試作したが、構造が複雑で、耐衝撃性が劣る等の課題がある。実施例1の構造は、軽量であり構造がシンプルで操作性、耐衝撃性も良好である。
また、図１においてフード支持バー６が二本であるが、中央にも設け３本とし、ばね９を中央にのみ１個にすることも可能である。
【産業上の利用可能性】
【００１７】
本発明の可動式フードを有するローラー塗装具は、塗料ミストの飛散を当該フードにより捕捉するため効率性が高く、フードの操作も片手で操作可能で機能的であり作業性も良好である。
従来のフードがない場合には、塗装者の衣服、人体へのミストの飛散等による劣悪な環境であったが、前記塗装具を用いた場合は衛生的・健康的な環境へと大きな改善が図られ、また、飛散防止のための養生等においても、小規模塗装工事等の場合は足場、養生ネットの構設が不要で養生費等の大幅な削減が可能であり、利用可能性は高いと思料される。
【符号の説明】
【００１８】
１    グリップ
２    アーム
３    ローラー
４    フード支持軸
５    フード
６    フード支持バー
７    フードガイド
８    支点
９    ばね
１０  操作レバー
１０ａ操作レバー（ワイヤー側）
１０ｂ操作レバー（反ワイヤー側）
１１  ワイヤー
１２  ストッパー
１３  レバー保持ボルト
１４  フード支持具
【図１】
2019069412.tif 000003
【図２】
2019069412.tif 000004
【図３】
2019069412.tif 000005
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
グリップとアームとローラーを有し、ローラーの周囲には塗装時にローラーの非塗装空間を覆うフードを設け、当該フードを支承するフード支持軸を前記アームに横設し、復元性のある弾性部材を用いて前記フードと連結し、当該フード支持軸の支点に傾動自在に軸支して、フード操作レバーをグリップに近接したアームに設け、前記フードとワイヤーで連結し、当該操作レバーを操作することにより前記フードが前記フード支持軸の支点を軸に応動可能であることを特徴とする可動式フードを有するローラー塗装具。
【請求項２】
請求項１に記載するフードはフード骨子に添設した軽量な合成樹脂製で交換が可能であり、当該フードの取り付け角度はフード骨子とフードガイドをフード支持具で緩嵌しており調整・変更が可能で、塗装時における塗装面とフードの端面との離れについては、前記フード操作レバーのストッパーが前記アームに軸支しており、当該ストッパーを回転・締着することにより調整が可能であり、前記の操作レバーでフードを引上げ固定する際には、前記アームに軸支したレバー保持ボルトでフード位置の固定が可能であることを特徴とする可動式フードを有するローラー塗装具。
【手続補正２】
【補正対象書類名】明細書
【補正対象項目名】０００７
【補正方法】変更
【補正の内容】
【０００７】
本発明に係る可動式フードを有するローラー塗装具は、グリップとアームとローラーを有し、ローラーの周囲には塗装時にローラーの非塗装空間を覆うフードを設け、当該フードを支承するフード支持軸を前記アームに横設し、復元性のある弾性部材を用いて前記フードと連結し、当該フード支持軸の支点に傾動自在に軸支して、フード操作レバーをグリップに近接したアームに設け、前記フードとワイヤーで連結し、当該操作レバーを操作することにより前記フードが前記フード支持軸の支点を軸に応動可能であることを特徴とする。